(57)【要約】【課題】  片引き戸であっても網戸の建込みや取外し時における操作及び車輪の高さ調整が室内側からでき且つ建込み後は網戸が持ち上げられたときに車輪がレールから外れるのを防止できる網戸用戸車を提供する。【解決手段】  本発明の網戸用戸車装置１において、スライダー１５は網戸幅方向にスライド自在にケース１３に保持してあると共にスライド操作部３５を有し、スライド操作部３５は下框７の室内側に設けた網戸幅方向に長い長孔３７内を移動するものであると共に室内側から操作自在であり、アーム１７はスライダー１５に軸着してあり、付勢部材２１はアーム１７を常時下方に回動するように付勢しており、車輪高さ調整具２４は、ケース１３の上部に設けてあり且つ室内側から操作自在であり、スライド操作部３５が網戸幅方向の先端側に位置しているときに、アーム１７の下方移動が規制されており、スライド操作部３５が網戸幅方向の中央部側に位置しているときに、アーム１７が下方に移動自在になる。【選択図】      図１
2006342591.tif 000002
【特許請求の範囲】
【請求項１】
ケースと、スライダーと、アームと、車輪と、付勢部材と、車輪高さ調整具とを備え、ケースは網戸下框の内部に取付けるものであり、スライダーは網戸幅方向にスライド自在にケースに保持してあると共にスライド操作部を有し、スライド操作部は下框の室内側に設けた網戸幅方向に長い長孔内を移動するものであると共に室内側から操作自在であり、アームは網戸幅方向の先端側が室内外方向の水平軸によりスライダーに軸着してあり且つ網戸幅方向の中央部側には室内外方向に設けた車輪軸により車輪が回転自在に設けてあり、付勢部材はアームを常時下方に回動するように付勢しており、車輪高さ調整具は、ケースの上部に設けてあり且つ室内側から操作自在であり、スライド操作部が網戸幅方向の先端側に位置しているときに、アームと車輪高さ調整具が離間し且つアームの下方移動が規制されており、スライド操作部が網戸幅方向の中央部側に位置しているときに、アームが下方に移動自在になると共に車輪高さ調整具がアームに当接していることを特徴とする網戸用戸車。
【請求項２】
ケースは室内側面及び室外側面の少なくとも一方にガイド溝を有し、ガイド溝は網戸幅方向に長く且つ下縁が網戸幅方向の中央部側を下方に向けて湾曲しており、アームはガイド溝内を移動自在なガイド軸を有し、スライド操作部が網戸幅方向の先端側に位置しているときに、ガイド軸がガイド溝の網戸幅方向の先端側に位置してガイド溝の下縁がガイド軸の下方移動を規制しており、スライド操作部が網戸幅方向の中央部側に位置しているときに、ガイド軸がガイド溝の網戸幅方向の中央部側に位置してアームが下方に移動自在になることを特徴とする請求項１に記載の網戸用戸車。
【請求項３】
ケースは室内側面及び室外側面にガイド溝を有し、ガイド溝は網戸幅方向に長く且つ下縁が網戸幅方向の先端側を網戸幅方向の中央部側よりも高くなるように傾斜していると共に、網戸幅方向の中央部側の上下方向寸法が網戸幅方向の先端側の上下方向寸法よりも大きいものであり、車輪軸の両端がガイド溝に移動自在に設けてあり、スライド操作部が網戸幅方向の先端側に位置しているときに、ガイド溝の下縁が車輪軸の下方移動を規制しており、スライド操作部が網戸幅方向の中央部側に位置しているときに、車輪軸がガイド溝の網戸幅方向の中央部側に位置してアームが下方に移動自在になることを特徴とする請求項１に記載の網戸用戸車。
【請求項４】
スライダーは、スライド操作部が網戸幅方向の先端側に位置しているときに網戸の側方に突出する補助スライド操作部を有していることを特徴とする請求項１〜３のいずれか一項に記載の網戸用戸車。
【請求項５】
車輪高さ調整具は、網戸幅方向にスライド自在にケースに保持した高さ調整部材と、高さ調整部材のスライドにより上下動し且つアームの網戸幅方向の中央部側に当接自在な高さ規制部材とを備え、高さ調整部材が下框の室内側面に設けた開口部からスライド操作自在としてあることを特徴とする請求項１〜４のいずれか一項に記載の網戸用戸車。
【請求項６】
車輪高さ調整具は、ケースに上下動自在に保持されており且つアームの網戸幅方向の中央部側に当接自在な高さ調整ねじであり、高さ調整ねじは、ケースに設けた調整ナットに係合しており、調整ナットが下框の室内側に設けた開口部から回転操作自在としてあることを特徴とする請求項１〜４のいずれか一項に記載の網戸用戸車。
【発明の詳細な説明】
【技術分野】
【０００１】
本発明は、網戸用戸車に関する。
【背景技術】
【０００２】
特許文献１には、網戸下框の内部に取付けた網戸用戸車において、ケースにアームの一端を軸着してあり、アームには車輪が軸着してあり、アームの網戸幅方向中央部側をケースに対して付勢部材で下方に付勢することにより、網戸が持ち上げられた際に車輪がレールから外れるのを防止することが開示されている。
また、特許文献１には、ケース内にアームに螺合した高さ調整ねじを設け、アームに対する高さ調整ねじの螺着位置を調整することにより、網戸建込み後の車輪の高さを調整することが開示されている。
更に、従来技術として、図１３に示す網戸用戸車５０が公知である。この網戸用戸車５０では、網戸下框６内に取付けたケース５４に網戸幅方向にスライド自在なスライダー５６を保持してあり且つアーム５８がケース５４との間に設けた付勢部材６４により下方に付勢してある。この網戸用戸車５０は、建込み前には、図１３（ａ）に示すように、スライダー５６の先端部５６ａを竪框８から戸当枠側に引き出す。これにより、スライダー５６がアーム５８の突部６０を支持して車輪６２を上位置で保持する。建込み後には、図１３（ｂ）に示すように、スライダー５６の先端部５６ａをケース５４に押し込むことにより、アーム５８の突部６０がスライダー５６から外れて、アーム６２が下方に移動自在になる。したがって、図１３（ｂ）に矢印Ｓで示すように網戸が持ち上げられても、アーム５８が付勢部材６４に押されて車輪６２とレール１１との係合が保持され、網戸の外れが防止される。
また、図１３に示す従来技術には、網戸建込み後の車輪の高さ調整ねじの操作部（ねじの頭）６５を竪框８の見込み面に設けたことが開示されている。
【０００３】
【特許文献１】特開２００１−１６４８２５号公報
【発明の開示】
【発明が解決しようとする課題】
【０００４】
しかし、特許文献１の技術では、網戸を枠に建込む際には、アームが付勢部材により下方に付勢してあるから車輪がケースに対して下がった状態になるため、例えば車輪を指で上に持ち上げながら建込みをしなければならないので、網戸の建込みがし難いという問題がある。
一方、図１３に示す公知技術では、網戸の建込み時におけるスライダー５６の操作は、網戸竪框８から戸当り枠側に突設した先端部５６ａを引き出したり押し込んだりするので、網戸の建込みは簡単に行うことができるが、一旦スライダーを押し込むと、メンテナンス等で網戸を取り外す際にスライダーを引き出すことが困難である。
また、この戸車では、スライダーの押し引き操作を下框の見込み面側から行うので、片引き戸に装着する網戸では、嵌め殺し窓の召し合せ框や可動障子の竪框が邪魔になって召合わせ框側の戸車の室内側からのスライダー操作ができず、網戸の建込みや取外しができないという問題がある。
更に、特許文献１の技術では、車輪の高さ調整を、網戸建込み前に下框の下部からドライバー等で高さ調整ねじの操作部を操作する必要があるため、網戸を建込んだ状態での調整ができないという問題ある。
一方、図１３に示す公知技術では、高さ調整ねじの操作部が竪框の見込み面に設けているから網戸の建込み後の車輪の高さ調整が可能であるが、高さ調整ねじの操作部６５を竪框の見込み面側から行うので、上述のスライダーの場合と同様に、片引き戸に装着する網戸では、嵌め殺し窓の召し合せ框や可動障子の竪框が邪魔になって召合わせ框側の戸車の室内側からの車輪の高さ調整ができないという問題がある。
即ち、従来技術では、片引き戸の場合に、網戸の建込みや取外し、又は車輪の高さ調整という網戸用戸車の操作が室内側からできないという問題があった。
【０００５】
そこで、本発明は、片引き戸であっても網戸の建込みや取外し時における操作及び車輪の高さ調整が室内側からでき且つ建込み後は網戸が持ち上げられたときに車輪がレールから外れるのを防止できる網戸用戸車の提供を目的とする。
【課題を解決するための手段】
【０００６】
請求項１に記載の発明は、ケースと、スライダーと、アームと、車輪と、付勢部材と、車輪高さ調整具とを備え、ケースは網戸下框の内部に取付けるものであり、スライダーは網戸幅方向にスライド自在にケースに保持してあると共にスライド操作部を有し、スライド操作部は下框の室内側に設けた網戸幅方向に長い長孔内を移動するものであると共に室内側から操作自在であり、アームは網戸幅方向の先端側が室内外方向の水平軸によりスライダーに軸着してあり且つ網戸幅方向の中央部側には室内外方向に設けた車輪軸により車輪が回転自在に設けてあり、付勢部材はアームを常時下方に回動するように付勢しており、車輪高さ調整具は、ケースの上部に設けてあり且つ室内側から操作自在であり、スライド操作部が網戸幅方向の先端側に位置しているときに、アームと車輪高さ調整具が離間し且つアームの下方移動が規制されており、スライド操作部が網戸幅方向の中央部側に位置しているときに、アームが下方に移動自在になると共に車輪高さ調整具がアームに当接していることを特徴とする。
【０００７】
請求項２に記載の発明は、請求項１に記載の発明において、ケースは室内側面及び室外側面の少なくとも一方にガイド溝を有し、ガイド溝は網戸幅方向に長く且つ下縁が網戸幅方向の中央部側を下方に向けて湾曲しており、アームはガイド溝内を移動自在なガイド軸を有し、スライド操作部が網戸幅方向の先端側に位置しているときに、ガイド軸がガイド溝の網戸幅方向の先端側に位置してガイド溝の下縁がガイド軸の下方移動を規制しており、スライド操作部が網戸幅方向の中央部側に位置しているときに、ガイド軸がガイド溝の網戸幅方向の中央部側に位置してアームが下方に移動自在になることを特徴とする。
【０００８】
請求項３に記載の発明は、請求項１に記載の発明において、ケースは室内側面及び室外側面にガイド溝を有し、ガイド溝は網戸幅方向に長く且つ下縁が網戸幅方向の先端側を網戸幅方向の中央部側よりも高くなるように傾斜していると共に、網戸幅方向の中央部側の上下方向寸法が網戸幅方向の先端側の上下方向寸法よりも大きいものであり、車輪軸の両端がガイド溝に移動自在に設けてあり、スライド操作部が網戸幅方向の先端側に位置しているときに、ガイド溝の下縁が車輪軸の下方移動を規制しており、スライド操作部が網戸幅方向の中央部側に位置しているときに、車輪軸がガイド溝の網戸幅方向の中央部側に位置してアームが下方に移動自在になることを特徴とする。
【０００９】
請求項４に記載の発明は、請求項１〜３のいずれか一項に記載の発明において、スライダーは、スライド操作部が網戸幅方向の先端側に位置しているときに網戸の側方に突出する補助スライド操作部を有していることを特徴とする。
【００１０】
請求項５に記載の発明は、請求項１〜４のいずれか一項に記載の発明において、車輪高さ調整具は、網戸幅方向にスライド自在にケースに保持した高さ調整部材と、高さ調整部材のスライドにより上下動し且つアームの網戸幅方向の中央部側に当接自在な高さ規制部材とを備え、高さ調整部材が下框の室内側面に設けた開口部からスライド操作自在としてあることを特徴とする。
【００１１】
請求項６に記載の発明は、請求項１〜４のいずれか一項に記載の発明において、車輪高さ調整具は、ケースに上下動自在に保持されており且つアームの網戸幅方向の中央部側に当接自在な高さ調整ねじであり、高さ調整ねじは、ケースに設けた調整ナットに係合しており、調整ナットが下框の室内側に設けた開口部から回転操作自在としてあることを特徴とする。
【発明の効果】
【００１２】
請求項１に記載の発明によれば、網戸の建込み時には、下框の室内側面に設けてあるスライド操作部を先端側に位置させると、付勢部材によりアームの網戸幅方向中央部側端が常時下方に付勢されていても、アームが下方に移動するのを規制して、アームの網戸幅方向中央部側に設けた車輪が下がらないようにしているので網戸の建込みの邪魔にならず、建込みが容易にできる。
網戸を建込んだ後、下框の室内側面にあるスライド操作部を網戸幅方向中央部側に移動すると、アームに高さ調整具が当接して車輪が予め調整した所定の高さよりも上に移動するのが規制されると共にアームが下方向に移動自在になる。
網戸を建込んだ状態で網戸が持ち上げられると、付勢部材がアームの網戸幅方向中央部側を常時下方に向けて付勢しているので、アームの網戸幅方向中央部側にある車輪は下方に押されてレールからの外れが防止される。
網戸を取外すときにも、建込み時と同様に下框の室内側面にあるスライド操作部を先端側に移動することにより、車輪がケースに対して下がらないように規制するので、この状態で網戸を持ち上げても、車輪が邪魔にならずに網戸外しができる。
本発明によれば、網戸用戸車の車輪を上位置で保持したり下方に移動自在にする操作を下框の室内側面に設けたスライド操作部で行うことがきるので、スライド操作部の操作が容易であると共に片引き戸であっても室内側から網戸の建込みや取外しができる。建込み後は網戸が持ち上げられても車輪が下方に移動自在であるからレールから外れるのを防止できる。
スライド操作部が網戸幅方向中央部側に位置しているときに車輪高さ調整具がアームに当接するので、例えば、網の張り替え等のメンテナンス時に網戸を外すときには、スライド操作部を網戸幅方向の先端側に移動してアームを車輪高さ調整具から離し、網戸を建込んだ後にはスライド操作部を網戸幅方向の中央部側に移動してアームを車輪高さ調整具に当接させて網戸を外す前と同じ位置で車輪高さ調整具がアームに当接する。したがって、車輪高さ調整具で車輪の高さを一度調整した後に網戸を外して再度建て込んだ場合でも車輪高さ調整具を網戸を外す前の高さでアームに当接することができる。
車輪の高さ調整が網戸を建て込んだ状態で室内側からできるので、高さ調整がし易く且つ片引き戸であっても室内側から車輪の高さ調整ができる。
また、車輪の高さ調整は、網戸を外さないで網戸を建込んだままできるので、調整作業が容易であると共に、施工誤差や経時変化により車輪の調整が必要なときにも的確な高さ調整ができる。
【００１３】
請求項２に記載の発明によれば、請求項１に記載の発明と同様な作用効果を奏すると共に、アームにガイド軸を設けると共にケースにガイド溝を形成するだけの簡単な構成でアームの網戸幅方向中央部側が下方へ移動するのを規制したり、下方へ移動自在にすることができる。
【００１４】
請求項３に記載の発明によれば、請求項１に記載の発明と同様な作用効果を奏すると共に、ケースにガイド溝を形成すると共に車輪軸を利用してガイド溝に配置するだけの簡単な構成でアームの下方への移動を規制したり、下方へ移動自在にすることができる。
【００１５】
請求項４に記載の発明によれば、請求項１〜３のいずれか一項に記載の効果を奏すると共に、引き違い戸の場合には、補助スライド操作部を網戸幅方向の先端側に突出するようにして網戸を建込み、建込み後に補助スライド操作部を網戸側に押し込むことにより車輪がレールから外れるのを防止できる。網戸を取り外すときにも建込み時のように、補助スライド部を網戸幅方向の先端側に突出するように操作して網戸を外すことができる。
したがって、引き違い戸の場合には、スライド操作部と補助スライド操作部とのいずれかを任意に操作することができるので、操作性が良い。
【００１６】
請求項５に記載の発明によれば、請求項１〜４のいずれか一項に記載の効果を奏すると共に、車輪の高さ調整は、車輪高さ調整具の高さ調整部材を網戸下框の室内側壁に設けた開口部からスライド操作することにより、高さ規制部材が上下動して、車輪の高さを調整する。
したがって、本発明によれば、高さ調整具は、網戸幅方向にスライド自在な高さ調整部材と、上下動自在な高さ規制部材を設ければ良いので、構成が簡易である。
【００１７】
請求項６に記載の発明によれば、請求項１〜４のいずれか一項に記載の効果を奏すると共に、車輪の高さ調整は、車輪高さ調整具の調整ナットを網戸下框の室内側壁に設けた開口部から回転操作することにより高さ調整ねじを上下動させて、車輪の高さを調整する。
したがって、本発明によれば、ドライバー等の工具を使わないで車輪の高さ調整が簡単にできる。
【発明を実施するための最良の形態】
【００１８】
以下に、本発明の実施の形態を説明するが、まず、添付図面の図１〜図４を参照して本発明の第１実施の形態を説明する。図１は第１実施の形態にかかる網戸を図３のＣ―Ｃ位置で切断して示す断面図であり、（ａ）は建込み時の状態を示し、（ｂ）は建込み後の状態を示している。図２は図１（ｂ）の状態において網戸を持ち上げたときの断面図であり、図３は第１実施の形態にかかる網戸を装着したサッシ下部の縦断面図であり、図４は室内側壁を切断して示すケースの正面図である。尚、図４において二点鎖線で示すのはスライダーである。
第１実施の形態にかかる網戸用戸車１は、網戸５の下框７の内部に取付けており、網戸５は下枠９のレール１１を走行自在になっている。尚、網戸用戸車１は、下框７の網戸幅方向の左右側端部の各々に設けているが、各々同様の構成であるから、以下の説明では室内側から見て右側に設けた網戸用戸車１についてのみ説明する。
網戸用戸車１は、ケース１３と、スライダー１５と、アーム１７と、車輪１９と、スプリング（付勢部材）２１と、車輪高さ調整具２４とを備えている。
ケース１３は網戸５の下框７の内部に設けてあり、下側が開口する縦断面略コ字状を成している。ケース１３の室内側面及び室外側面にはガイド溝２５が設けてあり、本実施の形態では、ガイド溝２５は網戸５の幅方向に沿って長く、且つガイド溝２５の下縁２７は先端２７ａ側が略水平になっており、網戸幅方向の中央部側端２７ｂ側が下方に向けて湾曲している。
ケース１３の先端側には竪框８に係止する竪框係止部３０が突設してあり、ケース１３は下框７と竪框８とに係止して下框７の内部に取り付けてある。
スライダー１５はケース１３の内部に通して設けてあり、網戸幅方向にスライド自在にケース１３に保持してある。スライダー１５には、アーム１７が室内外方向の水平軸３１に軸着してある。水平軸３１にはスプリング２１も装着するようになっており、スライダー１５にはスプリング２１の一端２１ａが係止されている。図４に示すように、スライダー１５には、ケース１３に対する網戸幅方向の移動を案内するガイド７０が設けてあり、ガイド７０はケース１３に設けた網戸幅方向に長い溝７２に係合している。
図１に示すように、スライダー１５の網戸幅方向の中央部側の室内側面にはスライド操作部３５が設けてあり、スライド操作部３５は室内側に突設している。一方、スライド操作部３５に対応して下框７の室内側面には走行方向に長い長孔３７が設けてあり、下框７の長孔３７の網戸幅方向先端３７ａと網戸幅方向中央部３７ｂとの間をスライド操作部３５が移動自在に配置されている。
また、スライダー１５には、スライド操作部３５が網戸幅方向の先端側に位置しているときにケース１３から突出し、スライド操作部３５が網戸幅方向の中央部側に位置しているときにはケース１３内に納まる補助スライド操作部３２を有している。
アーム１７は、先端側がスライダー１５に設けてある水平軸３１に軸着してあり、網戸幅方向中央部側には車輪１９が室内外方向の水平軸３９により軸着してある。また、アーム１７にはスプリング２１の他端２１ｂを係止する係止部３４が設けてある。アーム１７には、室内外方向のガイド軸７１が設けてあり、ガイド軸７１の室内側端及び室外側端は、各々ガイド溝２５に配置されている。
スプリング２１は一端２１ａをスライダー１５に係止し、他端２１ｂをアーム１７に係止してあり、アーム１７の網戸幅方向中央部側を常時下方に付勢している。
車輪高さ調整具２４は、高さ調整部材７３と、高さ規制部材７５とを備えている。高さ調整部材７３は網戸幅方向に水平方向にスライド自在にケース１３に保持されている。高さ調整部材７３にはねじ７７が挿通されており、ねじ７７は頭７７ａを下框７の室内面に設けた開口部７９から突設してあり、ねじ７７をドライバで締め付けると高さ調整部材７３はケース１３に固定され、ねじ７７を緩めると高さ調整部材７３がスライド自在になる。尚、ねじ７７の軸の先端はケース１３に設けた長孔を貫通して裏板８１（図３参照）に止めてある。
高さ調整部材７３の先端側には、下方に向いた傾斜面８３が形成してあり、高さ規制部材７５は上端７５ａが高さ調整部材の傾斜面８３に当接し、下端７５ｂがアーム１７の中央部側端に当接している。
尚、高さ規制部材７５はスライド自在であると共に高さ規制部材７５に設けた突起がケースの溝８４（図４参照）に係合して外れが防止されている。
【００１９】
次に、第１実施の形態にかかる網戸用戸車１の取付け、操作、作用及び効果について説明する。
網戸用戸車１を網戸５の下框７に取付けるときには、補助スライド操作部３２をケース１３から突出する方向に引き出すように操作してスライド操作部３５を網戸幅方向の先端側に位置させることにより、ガイド溝２５の下縁２７が車輪１９が下がらないようにアーム１７を規制した状態にしておく。この状態で、網戸用戸車１を網戸５の下框７に下から押し込んで、ケース１３に設けてある竪框係止部３０を竪框に引掛けてケース１３を下框７の内部に固定する。
網戸５の建込み時には、図１（ａ）に示すように、下框７の室内側面に設けてあるスライド操作部３５を、下框７の長孔３７の先端３７ａ側に位置させる。これにより、スライダー１５がケース１３に対して網戸幅方向の先端側に位置するので、アーム１７に設けてあるガイド軸７１はガイド溝２５の網戸幅方向先端側に位置し、ガイド溝下縁２７の網戸幅方向先端２７ａが車輪１９が下がらないように、アーム１７の下方への回動を規制する。したがって、スプリング２１によりアーム１７の網戸幅方向中央部側を常時下方に付勢されていてもアーム１７のガイド軸７１をガイド溝下縁２７の網戸幅方向先端２７ａが規制して、車輪１９を上位置で保持する。即ち、外れ止めが解除されるので、網戸の建込み時に車輪１９がケース１３から下がることがなく、車輪１９が邪魔にならずに建込みができ、建込み作業が容易にできる。
網戸５を建込んだ後には、図１（ｂ）に示すように、スライド操作部３５を長孔３７の網戸幅方向中央部側端３７ｂ側に移動する。これにより、アーム１７がスライダー１５と共に網戸幅方向中央部側に移動するので、アーム１７のガイド軸７１がガイド溝２５の網戸幅方向中央部側に位置して、ガイド溝２５の湾曲に沿って下方に移動自在になると共に、アーム１７の網戸幅方向中央部側上縁１７ａに高さ規制部材７５の下端７５ｂが当接して車輪１９が上方に移動するのを規制するので、車輪１９が予め調整した所定の高さに保持される。
車輪１９の高さ調整は、車輪高さ調整具２４において、下框７の室内側壁に設けてある開口部７９から突設したねじ７７の頭７７ａをドライバで緩め、高さ調整部材７３を網戸幅方向にスライドする。これにより、高さ調整部材７３の傾斜面８３に当接する高さ規制部材７５が傾斜面８３に沿って上方又は下方に移動するので、網戸５を建て込んだまま且つ下框７の室内側から車輪１９の高さを調整することができる。車輪１９の高さ調整後はねじ７７を締め付けて高さ調整部材７３をその位置で固定する。
図２に示すように、網戸５を建込んだ状態（図１（ｂ））で網戸５が矢印Ｓで示すように持ち上げられると、スプリング２１がアーム１７の網戸幅方向中央部側を下方に向けて常時付勢しているので、アーム１７が水平軸３１を中心として下方に向けて回動し、ガイド軸７１はガイド溝２５の中央部側下縁２７ｂの湾曲に沿って移動するので、車輪１９は、図１（ｂ）に示す位置から図２に示すようにケース１３に対して相対的に下方に移動して、レール１１との係合が保持される。
一方、網戸のメンテナンス等の為に、網戸５を外すときには、建込み時（図１（ａ））と同様に、下框７の室内側面に設けてあるスライド操作部３５を長孔３７の網戸幅方向先端３７ａ側に移動することにより、アーム１７のガイド軸７１はガイド溝２５の網戸幅方向先端側に移動し、下縁２７の網戸幅方向先端２７ａでアーム１７の下方への移動を規制する。この状態で網戸５を持ち上げても車輪１９が下がらず、車輪１９が邪魔にならずに網戸外しが容易にできる。
【００２０】
第１実施の形態によれば、下框７の室内側面に設けたスライド操作部３５の操作により車輪１９を下がらないように保持したり下方に移動自在にしたりできるので、操作が容易であると共に、片引き戸に網戸を建て込んだり取外したりする場合であってもスライド操作部３５の操作には嵌め殺し窓の召合わせ框が邪魔にならずに行うことができ、建込みや取外しができる。
建込み後は網戸５が持ち上げられても車輪１９がレールから外れるのを防止できる。
網戸用戸車１はケース１３に設けた竪框係止部３０を竪框８に係止するだけで装着でき、ねじを用いずに装着できるので、取付けが簡単であると共に部品点数を少なくできる。
車輪１９の高さ調整は、網５戸を建て込んだ状態で室内側からできるので、高さ調整がし易く且つ片引き戸であっても室内側から車輪の高さ調整ができる。
また、車輪１９の高さ調整は、網戸５を外さないで網戸５を建込んだままできるので、調整作業が容易であると共に、施工誤差や経時変化により車輪１９の調整が必要なときに的確な高さ調整ができる。
第１実施の形態にかかる網戸用戸車１を装着した網戸５を、引き違い戸に建込む場合には、補助スライド操作部３２を網戸幅方向の先端側に突出するようにして網戸５を建込み、建込み後に補助スライド操作部３２を網戸側に押し込むことにより車輪１９がレール１１から外れるのを防止できる。網戸５を取り外すときにも建込み時のように、補助スライド操作部３２を網戸幅方向の先端側に突出するように操作して網戸５を外すことができる。更に、網戸を取り外すときにも建込み時のように、補助スライド操作部３２を網戸幅方向の先端側に突出するように操作して網戸５を外すことができる。
したがって、網戸５を取付ける戸が引き違い戸の場合には、スライド操作部３５と補助スライド操作部３２とのいずれかを任意に操作することができるので、操作性が良い。
アーム１７にガイド軸７１を設けると共にケース１３にガイド溝２５を形成するだけの簡単な構成でアーム１７の網戸幅方向中央部側が下方へ移動するのを規制したり、下方へ移動自在にすることができる。
【００２１】
次に、添付図面の図５〜図１２を参照して本発明の第２実施の形態を説明する。図５は第２実施の形態にかかる網戸を図６のＡ―Ａ位置で切断して示す断面図であり、（ａ）は建込み時の状態を示し、（ｂ）は建込み後の状態を示している。尚、図５において二点鎖線で示すのは網戸の框及び網である。図６は本実施の形態にかかる網戸を装着したサッシ下部の縦断面図であり、図７は図６のＢ−Ｂ断面図であり、図８は図５（ｂ）の状態において網戸を持ち上げたときの断面図であり、図９はケースの図であり、（ａ）は正面図であり、（ｂ）は側面図である。図１０はスライダ−の図であり、（ａ）は平面図であり、（ｂ）は正面図である。尚、図１０において二点鎖線で示すのは付勢部材である。図１１はアームの図であり、（ａ）は平面図であり、（ｂ）は正面図であり、図１２は車輪高さ調整具の図であり、（ａ）は正面図であり、（ｂ）は側面図であり、（ｃ）は平面図である。尚、図１２の（ａ）（ｂ）において二点鎖線で示すのはケースの上壁であり、（ｃ）に二点鎖線で示すのは下框である。
第２実施の形態にかかる網戸用戸車１は、網戸５の下框７の内部に取付けており、網戸５は下枠９のレール１１を走行自在になっている。
網戸用戸車１は、ケース１３と、スライダー１５と、アーム１７と、車輪１９と、スプリング（付勢部材）２１と、車輪高さ調整具２４とを備えている。
ケース１３は網戸５の下框７の内部に設けてあり、下側が開口する縦断面略コ字状を成している。ケース１３の室内側面及び室外側面にはガイド溝２５が設けてあり、本実施の形態では、ガイド溝２５は網戸５の走行方向に沿って長く、且つガイド溝２５の下縁２７は先端２７ａ側が網戸幅方向の中央部側端２７ｂ側よりも高く傾斜している孔である。また、ガイド溝２５の網戸幅方向の中央部側端２７ｂ側の上下方向寸法が先端２７ａ側の上下寸法よりも大きくなっている。
図９に示すように、ケース１３の室外側面には下框７に係止する下框係止部２８が突設してあり、ケース１３の先端側には竪框８に係止する竪框係止部３０が突設してあり、ケース１３は下框７と竪框８とに係止して下框７の内部に取り付けてある。
スライダー１５はケース１３の内部に通して設けてあり、網戸幅方向にスライド自在にケース１３に保持してある。図１０に示すように、スライダー１５には、アーム１７の装着部２９が設けてあり、装着部２９は室外側に凹んだ凹部になっている。この装着部２９には、図５及び図７に示すように、アーム１７が室内外方向の水平軸３１に軸着してある。水平軸３１にはスプリング２１も装着するようになっており、スライダー１５にはスプリング２１の一端２１ａを係止する係止部３３が設けてある。
スライダー１５の網戸幅方向の中央部側の室内側面にはスライド操作部３５が設けてあり、スライド操作部３５は室内側に突設している。一方、スライド操作部３５に対応して下框７の室内側面には走行方向に長い長孔３７が設けてあり、下框の長孔３７の網戸幅方向先端３７ａと網戸幅方向中央部３７ｂとの間をスライド操作部３５が移動自在に配置されている。
また、スライダー１５には、スライド操作部３５が網戸幅方向の先端側に位置しているときにケース１３から突出し、スライド操作部３５が網戸幅方向の中央部側に位置しているときにはケース１３内に納まる補助スライド操作部３２を有している。
アーム１７は、先端側がスライダー１５に設けてある水平軸３１に軸着してあり、網戸幅方向中央部側には車輪１９が室内外方向の水平軸３９により軸着してある。また、図１１に示すように、アーム１７の先端側にはスプリング２１の他端２１ｂを係止する係止部３４が設けてある。
スプリング２１は一端２１ａをスライダー１５に係止し、他端２１ｂをアーム１７に係止してあり、アーム１７の網戸幅方向中央部側を常時下方に付勢している。
車輪１９は軸（水平軸）３９をケース１３のガイド溝２５に設けてある。
車輪高さ調整具２４は、ガイド溝２５の網戸幅方向中央部側の上方に設けた高さ調整ねじ２３であり、建込み後の網戸５の車輪１９の高さを調整するものである。高さ調整ねじ２３は、図５及び図１２に示すように、ケース１３に保持した固定ナット４２に上下方向から螺合していると共に、車輪高さ調整具本体（ホルダ）４１に設けた調整ナット４３に係合している。尚、車輪高さ調整具本体４１はケース１６に固定されている。
高さ調整ねじ２３には上部に上下方向に長い被係合溝４４が形成されており、下部には螺旋状のねじ溝４５が形成されている。固定ナット４２は高さ調整ねじ２３のねじ溝４５に螺合しており、調整ナット４３は高さ調整ねじ２３の被係合溝４４に係合する係合突部４６を有しており、高さ調整ねじ２３を上下方向に移動自在に係合している。
調整ナット４３の外周には操作部４３ａが設けてあり、操作部４３ａは下框７の室内側壁に設けた開口部４８から室内側に突設しており、操作部４３ａを室内側から回転操作して調整ナット４３を回転するようになっている。
高さ調整ねじ２３の軸部先端２３ａは、車輪１９の軸３９がガイド溝２５の網戸幅方向中央部側に位置しているとき（図５（ｂ）参照）にアーム１７の網戸幅方向中央部側上縁１７ａに当接して、アーム１７の網戸幅方向中央部側上縁１７ａが上に移動するのを規制する。
【００２２】
次に、第２実施の形態にかかる網戸用戸車１の取付け、操作、作用及び効果について説明する。
網戸用戸車１を網戸５の下框７に取付けるときに、補助スライド操作部３２をケース１３から突出する方向に引き出すように操作してスライド操作部３５を網戸幅方向の先端側に位置させることにより、ガイド溝２５の下縁２７が車輪１９が下がらないように規制した状態にしておく。この状態で、網戸用戸車１を網戸５の下框７に下から押し込んで、ケース１３に設けてある下框係止部２８を下框７の内壁に係止し、竪框係止部３０を竪框に引掛けてケース１３を下框７の内部に固定する。
網戸５の建込み時には、図５（ａ）に示すように、下框７の室内側面に設けてあるスライド操作部３５を、下框７の長孔３７の先端３７ａ側に位置させる。これにより、スライダー１５がケース１３に対して網戸幅方向の先端側に位置するので、アーム１７に取り付けてある車輪１９の軸３９はガイド溝２５の網戸幅方向先端側に位置し、ガイド溝下縁２７の網戸幅方向先端２７ａが車輪１９の軸３９を下がらないよう規制する。したがって、スプリング２１によりアーム１７の網戸幅方向中央部側を常時下方に付勢されていても車輪１９の軸３９をガイド溝下縁２７の網戸幅方向先端２７ａが規制して、車輪１９を上位置で保持する。即ち、外れ止めが解除されるので、網戸の建込み時に車輪１９がケース１３から下がることがなく、車輪１９が邪魔にならずに建込みができ、建込み作業が容易にできる。
網戸５を建込んだ後には、図５（ｂ）に示すように、スライド操作部３５を長孔３７の中央部側端３７ｂ側に移動する。これにより、アーム１７がスライダー１５と共に網戸幅方向中央部側に移動するので、車輪１９の軸３９がガイド溝２５の網戸幅方向中央部側に位置して下方に移動自在になると共に、アーム１７の網戸幅方向中央部側上縁１７ａに高さ調整ねじ２３の軸部先端２３ａが当接して車輪が上方に移動するのを規制するので、車輪１９が予め調整した所定の高さに保持される。
車輪１９の高さ調整は、車輪高さ調整具２４において、下框７の室内側壁に設けてある開口部４８から突設した調整ナット４３の操作部４３ａを回転操作して、調整ナット４３を一方又は他方に回転する。これにより、高さ調整ねじ２３が上方又は下方に移動するので、網戸５を建て込んだまま且つ下框７の室内側から車輪１９の高さを調整することができる。
図８に示すように、網戸５を建込んだ状態（図５（ｂ））で網戸５が矢印Ｓで示すように持ち上げられると、スプリング２１がアーム１７の網戸幅方向中央部側を下方に向けて常時付勢しているので、アーム１７の網戸幅方向中央部側にある車輪１９は、図５（ｂ）中の一点鎖線で示す位置からケース１３に対して相対的に下方に移動して、レール１１との係合が保持される。
一方、網戸のメンテナンス等の為に、網戸５を外すときには、建込み時（図５（ａ））と同様に、下框７の室内側面に設けてあるスライド操作部３５を長孔３７の網戸幅方向先端３７ａ側に移動することにより、車輪１９の軸３９はガイド溝２５の網戸幅方向先端側に移動し、傾斜した下縁２７の上部に位置する網戸幅方向先端２７ａが下方への移動を規制する。この状態で網戸５を持ち上げても車輪１９が下がらず、車輪が邪魔にならずに網戸外しが容易にできる。
【００２３】
第２実施の形態によれば、下框７の室内側面に設けたスライド操作部３５の操作により車輪１９を下がらないように保持したり下方に移動自在にしたりできるので、操作が容易であると共に、片引き戸に網戸を建て込んだり取外したりする場合であってもスライド操作部３５の操作には嵌め殺し窓の召合わせ框が邪魔にならずに行うことができ、建込みや取外しができる。
建込み後は網戸５が持ち上げられても車輪がレールから外れるのを防止できる。
網戸用戸車１はケース１３に設けた下框係止部２８を下框７に係止し竪框係止部３０を竪框８に係止するだけで装着でき、ねじを用いずに装着できるので、取付けが簡単であると共に部品点数を少なくできる。
車輪１９の高さ調整は、網５戸を建て込んだ状態で室内側からできるので、高さ調整がし易く且つ片引き戸であっても室内側から車輪の高さ調整ができる。しかも、工具を使わないで車輪の高さ調整が簡単にできる。
また、車輪１９の高さ調整は、網戸５を外さないで網戸５を建込んだままできるので、調整作業が容易であると共に、施工誤差や経時変化により車輪１９の調整が必要なときに的確な高さ調整ができる。
第２実施の形態にかかる網戸用戸車１を装着した網戸５を、引き違い戸に建込む場合には、補助スライド操作部３２を網戸幅方向の先端側に突出するようにして網戸５を建込み、建込み後に補助スライド操作部３２を網戸側に押し込むことにより車輪１９がレールから外れるのを防止できる。網戸５を取り外すときにも建込み時のように、補助スライド操作部３２を網戸幅方向の先端側に突出するように操作して網戸５を外すことができる。更に、網戸を取り外すときにも建込み時のように、補助スライド操作部３２を網戸幅方向の先端側に突出するように操作して網戸５を外すことができる。
したがって、網戸５を取付ける戸が引き違い戸の場合には、スライド操作部３５と補助スライド操作部３２とのいずれかを任意に操作することができるので、操作性が良い。
ケース１３にガイド溝２５を形成すると共に車輪軸３９を利用してガイド溝に配置するだけの簡単な構成でアーム１７の下方への移動を規制したり、下方へ移動自在にすることができる。
【００２４】
本発明は、上述した実施の形態に限らず、本発明の要旨を逸脱しない範囲で種々変形可能である。
例えば、ケース１３は竪框８に係止することに限らず、下框７のみに係止して固定するものであってもよい。
ガイド溝２５は開口にすることに限らず、ケースの室外側壁と室内側壁の各対向面に形成した凹みであってもよい。
第１実施の形態において、高さ調整部材７３は中央部側端に下を向く傾斜面を形成し、先端部側にスライド操作する操作部（ねじ）７７を設けると共に高さ規制部材７５を略垂直に設けて上端７５ａを傾斜面に当接させる構成としてもよい。この構成によれば、高さ調整部材７３を中央部側に移動させることにより車輪高さが低くなるように調整できる。
第２実施の形態において、車輪高さ調整具２４には固定ナット４２を設けないで、車輪高さ調整具本体４１にねじ孔を形成して高さ調整ねじ２３を螺合するものであってもよい。
第２実施の形態において、調整ナット４３を設けないで高さ調整ねじ２３を固定ナット４２のみに螺合させると共に高さ調整ねじ２３に頭を設けて、車輪１９の高さ調整するときには下框７の室内側壁に設けた孔からドライバーを挿入して高さ調整ねじ２３の頭を操作するものであっても良い。
【図面の簡単な説明】
【００２５】
【図１】第１実施の形態にかかる網戸を図３のＣ―Ｃ位置で切断して示す断面図であり、（ａ）は建込み時の状態を示し、（ｂ）は建込み後の状態を示している。
【図２】図１（ｂ）の状態において網戸を持ち上げたときの断面図である。
【図３】第１実施の形態にかかる網戸を装着したサッシ下部の縦断面図である。
【図４】室内側壁を切断して示すケースの正面図である。
【図５】本発明の第２実施の形態にかかる網戸を図６のＡ―Ａ位置で切断して示す断面図であり、（ａ）は建込み時の状態を示し、（ｂ）は建込み後の状態を示している。
【図６】第２実施の形態にかかる網戸を装着したサッシ下部の縦断面図である。
【図７】図６のＢ−Ｂ断面図である。
【図８】図５（ｂ）の状態において網戸を持ち上げたときの断面図である。
【図９】ケースの図であり、（ａ）は正面図であり、（ｂ）は側面図である。
【図１０】スライダ−の図であり、（ａ）は平面図であり、（ｂ）は正面図である。
【図１１】アームの図であり、（ａ）は平面図であり、（ｂ）は正面図である。
【図１２】車輪高さ調整具の図であり、（ａ）は正面図であり、（ｂ）は側面図であり、（ｃ）は平面図である。
【図１３】従来技術の網戸用戸車を取付けた網戸を図５と同じ位置で切断して示す断面図であり、（ａ）は建込み時の状態を示し、（ｂ）は建込み後の状態を示している。
【符号の説明】
【００２６】
１      網戸用戸車
５      網戸
７      下框
１１    レール
１３    ケース
１５    スライダー
１７    アーム
１７ａ  網戸幅方向の中央部側上縁
１９    車輪
２１    スプリング（付勢部材）
２３    高さ調整ねじ
２３ａ  軸部先端
２４    車輪高さ調整具
２５    ガイド溝
２７    下縁
２７ａ  網戸幅方向先端
２７ｂ  網戸幅方向の中央部側端
３１    水平軸
３２    補助スライド操作部
３５    スライド操作部
３７    長孔
３９    軸（水平軸）
４１    車輪高さ調整具本体
４２    固定ナット
４３    調整ナット
４４    被係合溝
４８    調整ナット用の開口部
７１    ガイド軸
７３    高さ調整部材
７５    高さ規制部材
７９    車輪高さ調整用の開口部
８３    傾斜面
【図１】
2006342591.tif 000003
【図２】
2006342591.tif 000004
【図３】
2006342591.tif 000005
【図４】
2006342591.tif 000006
【図５】
2006342591.tif 000007
【図６】
2006342591.tif 000008
【図７】
2006342591.tif 000009
【図８】
2006342591.tif 000010
【図９】
2006342591.tif 000011
【図１０】
2006342591.tif 000012
【図１１】
2006342591.tif 000013
【図１２】
2006342591.tif 000014
【図１３】
2006342591.tif 000015